【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
インターネットとネットワーク機器の間に設置され、前記インターネットと前記ネットワーク機器を介したユーザ端末との通信を制御し、前記通信のための通信パケットを複製したパケットを出力し、帯域制御情報に基づいて、前記ユーザ端末ごとの帯域を制御する通信処理部、及び、
前記パケットを入力し、入力した前記パケットを参照して前記ユーザ端末ごとの帯域使用状況を監視する監視部を有する帯域制御機器、並びに、
前記ネットワーク機器の利用可能帯域を格納する利用可能帯域格納部、
前記ユーザ端末が利用しているアプリケーションの情報、前記アプリケーションが帯域制御対象か否かを示す制御対象情報、並びに、帯域制御する場合にスローダウン制御の可否及びその第１のダウン幅、上限制限値及び下限制限値を含む帯域制御制限情報を格納する帯域制御制限情報格納部、
前記帯域制御機器からの前記帯域使用状況を格納する帯域使用情報格納部、
帯域制御対象の前記アプリケーションに対応して、前記ユーザ端末のアドレス情報に対応して、使用帯域、制御目標である目標帯域、並びに、前記制御目標への第２のダウン幅及び制御帯域を格納する帯域制御更新情報格納部、
ネットワーク管理装置に接続し、前記ネットワーク管理装置から受信した前記帯域制御制限情報を前記帯域制御制限情報格納部に格納するインターフェース部、
前記帯域制御機器からの前記帯域使用状況を前記帯域使用情報格納部に格納する帯域制御情報監視部、
前記帯域使用情報格納部を参照して、前記アプリケーションを利用する前記ユーザ端末に対応するユーザ数をカウントし、前記ユーザ数の多い前記アプリケーションの順に前記帯域制御更新情報格納部をソートし、前記帯域制御制限情報格納部を参照して前記アプリケーションが帯域制限対象であり、スローダウン制御の対象であれば、前記アプリケーションの前記上限制限値が、前記帯域使用状況に含まれる使用帯域の合計値を前記利用可能帯域から引いた値以下ならば、前記アプリケーションを利用している前記ユーザ端末の前記目標帯域を前記上限制限値/前記ユーザ数とし、前記アプリケーションの前記上限制限値が、前記合計値を前記利用可能帯域から引いた値を超えているならば、前記アプリケーションを利用している前記ユーザ端末の前記目標帯域を前記下限制限値/前記ユーザ数とし、前記帯域使用状況に含まれる前記ユーザ端末の使用帯域が前記目標帯域より大ならば、前記ユーザ端末の前記第２のダウン幅を前記アプリケーションの前記第１のダウン幅/前記ユーザ数とし、前記ユーザ端末の前記制御帯域から前記ユーザ端末の前記第２のダウン幅を引いた値を、前記ユーザ端末の前記制御帯域として更新する、所定の時間間隔で実行される帯域制御情報更新部、及び、
前記帯域制御情報更新部が更新した前記ユーザ端末の前記制御帯域を前記帯域制御情報として前記帯域制御機器に送信する帯域制御更新情報送信部を有する更新・統計処理サーバを設けたことを特徴とする帯域制御システム。
【請求項２】
請求項１に記載の帯域制御システムにおいて、前記通信処理部は、前記ネットワーク管理装置から受信した、制御対象の前記アプリケーションの情報と前記パケットのヘッダ情報との対応関係に基づいて、制御対象の前記アプリケーションの前記ユーザ端末ごとの帯域を制御することを特徴とする帯域制御システム。
【請求項３】
請求項１又は２に記載の帯域制御帯域制御システムにおいて、前記帯域制御情報更新部は、前記インターネットと前記ネットワーク機器を介した前記ユーザ端末との上り回線と下り回線に対応して、前記ユーザ端末の前記制御帯域を更新することを特徴とする帯域制御システム。
【請求項４】
請求項１〜３のいずれか１項に記載の帯域制御帯域制御システムにおいて、前記制御対象情報が否のとき、前記ユーザ端末の前記制御帯域を更新する処理をスキップすることを特徴とする帯域制御システム。
【請求項５】
請求項１〜４のいずれか１項に記載の帯域制御システムにおいて、前記第１のダウン幅及び前記所定の時間間隔の少なくとも一方を変更することを特徴とする帯域制御システム。
【請求項６】
インターネットとネットワーク機器の間に設置される帯域制御システムによる帯域制御方法であって、前記帯域制御システムは、
前記ネットワーク機器の利用可能帯域を格納する利用可能帯域格納部、
前記ネットワーク機器に接続するユーザ端末が利用しているアプリケーションの情報、前記アプリケーションが帯域制御対象か否かを示す制御対象情報、並びに、帯域制御する場合にスローダウン制御の可否及びその第１のダウン幅、上限制限値及び下限制限値を含む帯域制御制限情報を格納する帯域制御制限情報格納部、
前記帯域制御機器からの前記帯域使用状況を格納する帯域使用情報格納部、及び、
帯域制御対象の前記アプリケーションに対応して、前記ユーザ端末のアドレス情報に対応して使用帯域、制御目標である目標帯域、並びに、前記制御目標への第２のダウン幅及び制御帯域を格納する帯域制御更新情報格納部を有し、
前記インターネットと前記ネットワーク機器を介した前記ユーザ端末との通信を制御し、前記通信のための通信パケットを複製したパケットを出力し、帯域制御情報に基づいて、前記ユーザ端末ごとの帯域を制御し、
前記パケットを参照して前記ユーザ端末ごとの帯域使用状況を監視し、
ネットワーク管理装置に接続し、前記ネットワーク管理装置から受信した前記帯域制御制限情報を前記帯域制御制限情報格納部に格納し、
前記帯域制御機器からの前記帯域使用状況を帯域使用情報格納部に格納し、
所定の時間間隔で、前記帯域使用情報格納部を参照して、前記アプリケーションを利用する前記ユーザ端末に対応するユーザ数をカウントし、前記ユーザ数の多い前記アプリケーションの順に前記帯域制御更新情報格納部をソートし、前記帯域制御制限情報格納部を参照して前記アプリケーションが帯域制限対象であり、スローダウン制御の対象であれば、前記アプリケーションの前記上限制限値が、前記帯域使用状況に含まれる使用帯域の合計値を前記利用可能帯域から引いた値以下ならば、前記アプリケーションを利用している前記ユーザ端末の前記目標帯域を前記上限制限値/前記ユーザ数とし、前記アプリケーションの前記上限制限値が、前記合計値を前記利用可能帯域から引いた値を超えているならば、前記アプリケーションを利用している前記ユーザ端末の前記目標帯域を前記下限制限値/前記ユーザ数とし、前記帯域使用状況に含まれる前記ユーザ端末の使用帯域が前記目標帯域より大ならば、前記ユーザ端末の前記第２のダウン幅を前記アプリケーションの前記第１のダウン幅/前記ユーザ数とし、前記ユーザ端末の前記制御帯域から前記ユーザ端末の前記第２のダウン幅を引いた値を、前記ユーザ端末の前記制御帯域として更新し、
更新した前記ユーザ端末の前記制御帯域を前記帯域制御情報とすることを特徴とする帯域制御方法。
【請求項７】
請求項６に記載の帯域制御方法において、前記帯域制御システムは、前記ネットワーク管理装置から受信した、制御対象の前記アプリケーションの情報と前記パケットのヘッダ情報との対応関係に基づいて、制御対象の前記アプリケーションの前記ユーザ端末ごとの帯域を制御することを特徴とする帯域制御方法。
【請求項８】
請求項６又は７に記載の帯域制御方法において、前記帯域制御システムは、前記インターネットと前記ネットワーク機器を介した前記ユーザ端末との上り回線と下り回線に対応して、前記ユーザ端末の前記制御帯域を更新することを特徴とする帯域制御方法。
【請求項９】
請求項６〜８のいずれか１項に記載の帯域制御方法において、前記帯域制御システムは、前記制御対象情報が否のとき、前記ユーザ端末の前記制御帯域を更新する処理をスキップすることを特徴とする帯域制御方法。
【請求項１０】
請求項６〜９のいずれか１項に記載の帯域制御方法において、前記帯域制御システムは、前記第１のダウン幅及び前記所定の時間間隔の少なくとも一方を変更することを特徴とする帯域制御方法。